(57)【要約】【課題】撮影を指示する者が撮影者に撮影内容を的確に指示できるようにする。【解決手段】撮影指示ファイルの各画像を表示装置の一画面に集約したサムネイル表示をする（ステップＳ１１）。そして、撮影者はこの表示された画像を参考にして、撮影すべき被写体の種類、アングル、背景などを理解して、カメラ１で撮像を行なう（ステップＳ１２）。【選択図】　　図１０
2004112132.tif 000002
【特許請求の範囲】
【請求項１】
撮像素子で画像を撮像する撮像装置に用意されている記憶装置に１又は複数個あらかじめ用意された画像データの画像を前記撮像装置に用意されている表示装置に表示する表示工程と、
この表示された画像を参考にして前記撮像装置で撮像を行なう撮像工程と、
を備えている撮像方法。
【請求項２】
前記表示工程は、前記記憶装置に記憶している画像データの複数個を集約して前記表示装置に一画面に表示する、請求項１に記載の撮像方法。
【請求項３】
画像を撮像する撮像素子と、
１又は複数個の画像の画像データを記憶する記憶装置と、
画像を表示する表示装置と、
前記記憶装置に記憶されている画像データの画像を前記表示装置に表示する第１の表示手段と、
を備えている撮像装置。
【請求項４】
前記記憶装置に記憶している画像データのいずれかの１の特定をユーザから受付ける受付手段と、
前記撮像素子で撮像した画像を取り込む取込手段と、
この取り込んだ画像を画像の基本構成要素の成分に複数に分割し、分割された複数成分毎に圧縮符号化した符号データに、前記特定された画像データを圧縮符号化した符号データを前記複数の成分とは別の成分として合成して単一の符号データとする符号作成手段と、
を備えている請求項３に記載の撮像装置。
【請求項５】
前記符号作成手段は、前記圧縮符号化をＪＰＥＧ２０００アルゴリズムで行なうものであり、前記取り込み画像を複数のＪＰＥＧ２０００のコンポーネントに分割し、分割された複数コンポーネント毎に圧縮符号化した符号データに、前記特定された画像データを圧縮符号化した符号データを前記複数のコンポーネントとは別のコンポーネントとして合成して単一の符号データとする、請求項４に記載の撮像装置。
【請求項６】
前記記憶装置は、その記憶している前記画像データを前記符号作成手段の画像圧縮アルゴリズムと同じＪＥＰＧ２０００アルゴリズムで圧縮符号化された状態で記憶していて、
前記符号作成手段は、前記読取画像の複数コンポーネントに、前記圧縮符号化された状態で記憶されている符号データを前記複数のコンポーネントとは別のコンポーネントとして合成して単一の符号データとする、
請求項４又は５に記載の撮像装置。
【請求項７】
前記撮像素子が捉えている画像と前記特定がされた画像とを重ね合わせて前記表示装置に一画面に表示する第２の表示手段を備えている、請求項３から６の何れかの一に記載の撮像装置。
【発明の詳細な説明】
【０００１】
【発明の属する技術分野】
本発明は、撮像方法及び撮像装置に関する。
【０００２】
【従来の技術】
従来、画像データを圧縮伸張する際に、画像データはＲＧＢ、ＹＣｂＣｒ又はＹＭＣＫなどの色成分に分割され、それぞれの色成分ごとに圧縮符号化の操作が行われ、これをひとつの符号ファイルとして保存する手段がとられている。
【０００３】
【発明が解決しようとする課題】
雑誌編集業界や、建設業界などでは、雑誌に掲載する小物、建造途中の建物など、様々な目的物を、上司などの指示者の命令により撮影者が指示者の指示どおりに目的地でデジタルカメラにより撮影するということが行なわれる。このような場合、指示者は、どのような被写体をどのようなアングルや背景で撮影するか細かな指示を撮影者に与える必要がある。このような場合に、画像を入力するときにヒントとなる指示情報などは、符号ファイル上でコメントのようにテキストやコードデータで付加されていた。
【０００４】
しかしながら、指示者が直接画像入力する場合は、担当者が直接、画像入力状態をチェックすることが可能であるが、この場合は、指示者と実際に画像入力を行なう撮影者が異なるため、画像入力の指定を行なうことは非常に困難であり、画像の位置や色調、濃度、解像度などの指定を行っても抽象的な表現となり、実際に画像入力を行った後でないと、指示された通りの画像になっているかどうか判断できないという不具合があった。
【０００５】
本発明の目的は、撮影を指示する者が撮影者に撮影内容を的確に指示できるようにすることである。
【０００６】
【課題を解決するための手段】
請求項１に記載の発明は、撮像素子で画像を撮像する撮像装置に用意されている記憶装置に１又は複数個あらかじめ用意された画像データの画像を前記撮像装置に用意されている表示装置に表示する表示工程と、この表示された画像を参考にして前記撮像装置で撮像を行なう撮像工程と、を備えている撮像方法である。
【０００７】
したがって、どのような被写体をどのようなアングルや背景で撮影するかなどの細かな指示を画像で与えることができるので、このような指示内容を感覚的に理解しやすい。
【０００８】
請求項２に記載の発明は、請求項１に記載の撮像方法において、前記表示工程は、前記記憶装置に記憶している画像データの複数個を集約して前記表示装置に一画面に表示する。
【０００９】
したがって、撮影すべき画像の全貌を容易に把握して、撮影現場の状況を判断して効率のよい撮影を行なうことができる。
【００１０】
請求項３に記載の発明は、画像を撮像する撮像素子と、１又は複数個の画像の画像データを記憶する記憶装置と、画像を表示する表示装置と、前記記憶装置に記憶されている画像データの画像を前記表示装置に表示する第１の表示手段と、を備えている撮像装置である。
【００１１】
したがって、どのような被写体をどのようなアングルや背景で撮影するかなどの細かな指示を画像で与えることができるので、このような指示内容を感覚的に理解しやすい。
【００１２】
請求項４に記載の発明は、請求項３に記載の撮像装置において、前記記憶装置に記憶している画像データのいずれかの１の特定をユーザから受付ける受付手段と、前記撮像素子で撮像した画像を取り込む取込手段と、この取り込んだ画像を画像の基本構成要素の成分に複数に分割し、分割された複数成分毎に圧縮符号化した符号データに、前記特定された画像データを圧縮符号化した符号データを前記複数の成分とは別の成分として合成して単一の符号データとする符号作成手段と、を備えている。
【００１３】
したがって、合成後の符号データにより、撮影した画像のみでも、この撮影した画像に受付手段でユーザが特定した画像を重ね合わせた画像でも表示できるので、指示どおりの画像が撮影できたか否かを容易に確認することができる。
【００１４】
請求項５に記載の発明は、請求項４に記載の撮像装置において、前記符号作成手段は、前記圧縮符号化をＪＰＥＧ２０００アルゴリズムで行なうものであり、前記取り込み画像を複数のＪＰＥＧ２０００のコンポーネントに分割し、分割された複数コンポーネント毎に圧縮符号化した符号データに、前記特定された画像データを圧縮符号化した符号データを前記複数のコンポーネントとは別のコンポーネントとして合成して単一の符号データとする。
【００１５】
したがって、ＪＰＥＧ２０００アルゴリズムにより、撮影画像のコンポーネントに受付手段でユーザが特定した画像のコンポーネントを容易に合成することができる。
【００１６】
請求項６に記載の発明は、請求項４又は５に記載の撮像装置において、前記記憶装置は、その記憶している前記画像データを前記符号作成手段の画像圧縮アルゴリズムと同じＪＥＰＧ２０００アルゴリズムで圧縮符号化された状態で記憶していて、前記符号作成手段は、前記読取画像の複数コンポーネントに、前記圧縮符号化された状態で記憶されている符号データを前記複数のコンポーネントとは別のコンポーネントとして合成して単一の符号データとする。
【００１７】
したがって、ＪＥＰＧ２０００アルゴリズムにより符号上の再圧縮を行なうことができる。
【００１８】
請求項７に記載の発明は、請求項３から６の何れかの一に記載の撮像装置において、前記撮像素子が捉えている画像と前記特定がされた画像とを重ね合わせて前記表示装置に一画面に表示する第２の表示手段を備えている。
【００１９】
したがって、重ね合わせ画像の表示により、指示された画像に撮影しようとする画像を容易に合わせることができる。
【００２０】
【発明の実施の形態】
本発明の一実施の形態について説明する。
【００２１】
図１は、本実施の形態にかかるデジタルスチルカメラ１のブロック図である。図１に示すように、このデジタルスチルカメラ１（以下、単に「カメラ１」という）は、本発明の撮像装置を実施するもので、レンズ２と、絞り３と、撮像素子としてのＣＣＤイメージセンサ４と、ＣＣＤイメージセンサ４の蓄積電荷のノイズを低減する２重相関サンプリング回路（ＣＤＳ回路）５と、ＣＣＤイメージセンサ４による撮像信号のゲインを自動調整するＡＧＣ回路６と、ＣＣＤイメージセンサ４で撮影したアナログ画像データをＡ／Ｄ変換するＡ／Ｄ変換回路７と、Ａ／Ｄ変換回路７でＡ／Ｄ変換後のデジタル画像データに所定の信号処理を行なう画像信号処理回路８と、絞り３、シャッタ速度、ＡＧＣ回路６の制御を行なう露出制御回路９と、レンズ２を駆動するフォーカス駆動回路１０とを備えている。
【００２２】
また、カメラ１の各部を集中的に制御するＣＰＵ１１と、ＣＰＵ１１が使用する各種制御プログラムなどを記憶したＲＯＭ１３と、ＣＰＵ１１のワークアエリアとなるＲＡＭ１２と、外部のパーソナルコンピュータなどと通信を行なう所定のインターフェイス１９と、このパーソナルコンピュータなどから受信したデータなどを記憶する記憶装置である不揮発性メモリ１４と、画像信号処理回路８で処理後の画像データを記憶する記録メディア１５と、記録メディア１５に記憶する画像データを圧縮符号化した符号データとし、また、記録メディア１５に記憶されている符号データを伸長する符号データとする圧縮手段となる圧縮・伸長回路１６と、各種のメッセージを表示するＬＣＤなどで構成された表示装置１７と、各種の操作を受付ける操作パネル１８とを備えている。記録メディア１５は、具体的には、半導体メモリであってもよいし、磁気的又は光学的に画像データの記録が書換え可能に実行できる様々なリムーバブルメディアを用いることもできる。
【００２３】
不揮発性メモリ１４には、撮影指示ファイル２１が記憶されている。この撮影指示ファイル２１は、複数枚の画像の画像データが、例えばＪＰＥＧ２０００アルゴリズムで圧縮され、あるいは、圧縮されずにそのまま登録されている。図２は、その概念的なイメージを示しており、様々なイラスト、絵で構成された、この例では９枚の画像２１ａ〜２１ｉが登録されている。この画像は、このカメラ１で撮影しようとする撮影者に対して、撮影の実行を指示する指示者が用意したもので、その画像を端的にあらわすタイトル、例えば、「樹木」「車」などの文字データや、番号など、各画像２１ａ〜２１ｉを識別するデータと対応付けて、パーソナルコンピュータなどの上で動作する専用のソフトウエアにより、所定のファイルフォーマットで構成された撮影指示ファイル２１に記録される。このようにして作成された撮影指示ファイル２１は、インターフェイス１９を介してパーソナルコンピュータなどから送信され、不揮発性メモリ１４に登録される。
【００２４】
この撮影指示ファイル２１の各画像２１ａ〜２１ｉは、圧縮されているときは圧縮・伸長回路１６で伸長し、図３に例示するように、第１の表示手段を実現するため、表示装置１７に各画像に番号などを付して集約し、サムネイル表示することができる。
【００２５】
図１０は、このような機能を備えたカメラ１を用いて、撮影者が行なう撮影作業の概要を説明するフローチャートである。
【００２６】
まず、表示工程を実現するため、撮影指示ファイル２１の各画像２１ａ〜２１ｉを表示装置１７の一画面に集約したサムネイル表示をする（ステップＳ１１）。
【００２７】
そして、撮像工程を実現するため、撮影者はこの表示された画像を参考にして、撮影すべき被写体の種類、アングル、背景などを理解して、カメラ１で撮像を行なう（ステップＳ１２）。
【００２８】
どのような画像を撮影するべきか、指示者が撮影者に指示する際に、文字で表現するのは多くの場合困難で、イラストや絵で表現して撮影者に示すとわかりやすい場合が多い。そこで、指示者が提供した画像を表示装置１７に表示することで、撮影者はどのような画像（被写体の種類やアングル）を撮影すべきか感覚的に理解しやすい。
【００２９】
図４は、カメラ１が行なう処理のフローチャートである。まず、受付手段を実現するため、操作パネル１８を操作して、ユーザがサムネイル表示されている各画像２１ａ〜２１ｉの中から所望のものを選択すると（ステップＳ１のＹ）、ＣＰＵ１１は、番号など、その画像を特定する情報をＲＡＭ１２に記録して、画像を特定する（ステップＳ２）。例えば、図５に示すように、画像２１ａは「樹木」の概略イメージのイラストであり、番号は１なので、この番号１を特定する。そして、ユーザが操作パネル１８を操作して、「画像の重ね表示」を選択すると（ステップＳ３のＹ）、第２の表示手段を実現するため、ステップＳ２で特定した画像と、現在ＣＣＤ４が捉えている画像とを重ね合わせて表示装置１７に表示する（ステップＳ４）。「画像の重ね表示」を選択しないときは（ステップＳ３のＮ）、現在ＣＣＤ４が捉えている画像のみを表示装置１７に表示する（ステップＳ５）。
【００３０】
このように、指示者が提供した画像を表示装置１７に表示することで、撮影者はどのような画像（被写体の種類やアングル）を撮影すべきか感覚的に理解しやすい。
【００３１】
この場合、ユーザの所望により、ステップＳ２で特定した画像と、現在ＣＣＤ４が捉えている画像とを重ね合わせて表示装置１７に表示することができるので（ステップＳ４）、指示者が提示した画像と撮影しようとする画像とを重ね合わせて表示することで両者を画面上で見比べることが出来るので、撮影者はどのような画像を撮影すべきか更に感覚的に理解しやすい。図６の例では、画像２１ａの「樹木」のイラストと、現在ＣＣＤ４が捉えている現実の樹木の画像２２とが重ね合わせて表示されている。
【００３２】
さらに、前述のように、撮影指示ファイル２１に含まれる各画像２１ａ〜２１ｉは、図３に示すようにサムネイル表示され、その表示の中から撮影したい画像を選択することができるので、撮影場所の都合によって、指示されたイラストなどに相当する撮影シーンが必ずしもリストの順番で存在していないような場合にも、撮影現場の状況を判断して効率よく撮影ができる。
【００３３】
そして、ステップＳ４又はＳ５の状態で、ユーザが図示しない撮影ボタンを押下すると（ステップＳ６のＹ）、取込手段を実現するため、ＣＣＤ４から画像データを取り込み（ステップＳ７）、符号作成手段を実現するため、この画像データを圧縮・伸長回路１６においてＪＰＥＧ２０００アルゴリズムで圧縮して（ステップＳ８）、記録メディア１５に格納する（ステップＳ１０）。この際、撮影された画像は、画像の基本構成要素の成分、すなわち、通常のコンポーネント成分に分割して符号データ化されて格納されるが、符号作成手段を実現するため、ステップＳ２で特定した画像の画像データも、撮影した画像の符号データの別のコンポーネントとして、ステップＳ８で符号化したコードストリームと合成して１本のコードストリームを生成してから（ステップＳ９）、格納する（ステップＳ１０）。
【００３４】
このステップＳ９などについて詳細に説明する。図７には、ＪＰＥＧ２０００のファイルフォーマットを示す。ＪＰＥＧ２０００のファイルフォーマットは、プログレッシブオーダ順に格納されている。ここでは、コンポーネントごとに異なった情報を格納する場合に、説明が簡単なプログレッシブオーダとしてＣＰＲＬ（Ｃｏｍｐｏｎｅｎｔ−ｐｏｓｉｔｉｏｎ−ｒｅｓｏｌｕｔｉｏｎ　ｌｅｖｅｌｓ−ｌａｙｅｒ　ｐｒｏｇｒｅｓｓｉｏｎ）を例にあげて説明する。
【００３５】
図７は、ＣＰＲＬのファイルフォーマットである。これは、コードストリームを表現していて、メインヘッダが最初に位置し、続いてタイルヘッダが存在する。その次には、コンポーネント０，１，２と配置されている。通常の画像データの場合は、ＲＧＢ画像をＹＣ，ｂ，Ｃｒの３つのコンポーネントに分割し、コンポーネント毎に符号化して、単一のコードストリームとして構成される。
【００３６】
しかしながら、ＪＰＥＧ２０００では、コンポーネントの数に制約はなく、ひとつのコンポーネント（モノクロモード）や、２個のコンポーネント（２色モード）などが同じファイルフォーマットでサポートできるところに特徴がある。さらに、ＪＰＥＧ２０００ではコンポーネント数を４以上にすることも可能である。この場合に、ＪＰＥＧ２０００で一般的に想定しているのは、４個目以降のコンポーネントに例えば映画画面上の字幕データなどを格納するような用途である。
【００３７】
撮影指示ファイル２１の画像２１ａ〜２１ｉが予めステップＳ８の処理と同じくＪＰＥＧ２０００アルゴリズムで符号化されて不揮発性メモリ１４に格納されていたとすると、そのデータ構成は図８のとおりである。すなわち、単一のコードストリーム中にイラストなどをモノクロで符号化した単一のコンポーネント（０）だけが含まれている。そして、ステップＳ７で取り込んだ画像は、Ｒ，Ｇ，ＢやＹＣ，ｂ，Ｃｒの３つのコンポーネント成分ごとにＪＰＥＧ２０００での圧縮符号化を行い、図７のように、３コンポーネントの符号データを作成する（ステップＳ８）。
【００３８】
次に、最終的な符号形成を行なう前に、撮影指示ファイル２１のステップＳ２で特定した画像のＪＰＥＧ２０００の符号データ（図８）を、撮影した画像の符号データ（図７）の後ろに４番目のコンポーネントとして付加して、一本の符号ファイルとして（ステップＳ９）（図９参照）、記録メディア１５に格納する。
【００３９】
このように、撮影した画像と、撮影に使用したイラストなどの画像を一つのファイル上に、また、ＪＰＥＧ２０００の規格に基づいたフォーマットで格納しておくことで、汎用のＪＰＥＧ２０００デコーダでは、最初の３コンポーネント部分だけがデコードされることになるので、カメラ１で撮影した画像を汎用のＪＰＥＧ２０００デコーダでも復元できる。しかも、４番目のコンポーネントもデコードできる専用のデコーダを使用すれば、撮影に使用したイラストデータもデジタルカメラで撮影した画像と重ね合わせて表示することができるので、指示者の指示どおりの撮影ができているかどうかを容易に確認することが可能になる。
【００４０】
図９では、イラストなどの画像データはコンポーネント３に格納されている。コンポーネント３のデータはイラストなどをそのままモノクロ画像として画像圧縮したものを使用している。よって、撮影した画像データと同じファイルフォーマット、圧縮方式で、イラストなどの画像データも圧縮しているので、ＪＰＥＧ２０００の特徴である、符号上の再圧縮が可能である。
【００４１】
ＪＰＥＧ２０００では符号データを復元する際に、解像度を下げて１／４や１／１６の画像サイズで表示することで、一画面に複数の画像を表示することが可能になる特徴をもっている。そこで、前述のように、符号データ内に４番目以降のコンポーネントに、最初の３コンポーネントで格納されている画像データのイラスト、もしくは輪郭情報を符号化して保持している場合、表示するときにこの４番目のコンポーネントのサムネイル表示を行なうことで、記憶されている画像データの画像の特徴を簡単に知ることができ、かつ、画像の表示に使用するデータ量を大きく削減することが可能になる。これは、撮影したイメージデータそれ自体は情報量が大きいため、符号圧縮化してもそれなりにデータ量が大きくなるが、最初に用意した画像輪郭のイラストなどのデータにすることで、画像の特徴は保持したままデータ量を大きく削減することが可能だからである。これは、カメラ１で撮影した画像を、ネット−ワークを介して遠隔地で表示させるときなど、転送するデータ量をできるだけ小さくしたいときに非常に、有効になる。
【００４２】
【発明の効果】
請求項１，３に記載の発明は、どのような被写体をどのようなアングルや背景で撮影するかなどの細かな指示を画像で与えることができるので、このような指示内容を感覚的に理解しやすい。
【００４３】
請求項２に記載の発明は、請求項１に記載の発明において、撮影すべき画像の全貌を容易に把握して、撮影現場の状況を判断して効率のよい撮影を行なうことができる。
【００４４】
請求項４に記載の発明は、請求項３に記載の発明において、合成後の符号データにより、撮影した画像のみでも、この撮影した画像に受付手段でユーザが特定した画像を重ね合わせた画像でも表示できるので、指示どおりの画像が撮影できたか否かを容易に確認することができる。
【００４５】
請求項５に記載の発明は、請求項４に記載の発明において、ＪＰＥＧ２０００アルゴリズムにより、撮影画像のコンポーネントに受付手段でユーザが特定した画像のコンポーネントを容易に合成することができる。
【００４６】
請求項６に記載の発明は、請求項４又は５に記載の発明において、ＪＥＰＧ２０００アルゴリズムにより符号上の再圧縮を行なうことができる。
【００４７】
請求項７に記載の発明は、請求項３から６の何れかの一に記載の発明において、重ね合わせ画像の表示により、指示された画像に撮影しようとする画像を容易に合わせることができる。
【図面の簡単な説明】
【図１】本発明の一実施の形態であるデジタルスチルカメラの電気的な接続を示すブロック図である。
【図２】撮影指示ファイルの概念的なイメージの説明図である。
【図３】撮影指示ファイルの各画像をサムネイル表示した画像の説明図である。
【図４】デジタルスチルカメラが行なう処理のフローチャートである。
【図５】撮影指示ファイルに登録されている一画像の例である。
【図６】撮影指示ファイルに登録されている画像とＣＣＤが捉えている画像とを重ね合わせて表示した例である。
【図７】撮影した画像をＪＰＥＧ２０００で圧縮したときの符号データのデータ構成を説明する図である。
【図８】撮影指示ファイルに登録されているＪＰＥＧ２０００で圧縮した画像の符号データのデータ構成を説明する図である。
【図９】撮影した画像に撮影指示ファイルに登録されている画像を合成した符号データのデータ構成を説明する図である。
【図１０】撮影者が撮像装置を用いて行なう作業のフローチャートである。
【符号の説明】
１　　　撮像装置
１４　　記憶装置
１７　　画像表示装置
【図１】
2004112132.tif 000003
【図２】
2004112132.tif 000004
【図３】
2004112132.tif 000005
【図４】
2004112132.tif 000006
【図５】
2004112132.tif 000007
【図６】
2004112132.tif 000008
【図７】
2004112132.tif 000009
【図８】
2004112132.tif 000010
【図９】
2004112132.tif 000011
【図１０】
2004112132.tif 000012